(57)【要約】【課題】洗眼器について、両眼を確実かつ速やかに洗浄するのに適した洗浄液を供給する。【解決手段】洗浄液Ｗを吐出して洗眼者の両眼を洗浄する洗眼器について、洗浄液Ｗの水流制御室２０を有する本体部１３と、水流制御室２０に洗浄液Ｗを供給する導入部１２と、水流制御室２０から洗浄液Ｗを吐出する多数の吐出孔２３を有し、多数の吐出孔２３が洗眼者の両眼に亘るように帯状に配置されている帯状散水部２１とを備える。導入部１２から供給された洗浄液Ｗがそのままの勢いで吐出孔２３から吐出されずに水流制御室２０に留まり、多数の吐出孔２３から吐出する洗浄液Ｗの勢いを制御する。さらに、帯状散水部２１によって、洗眼者の両眼だけでなくそれらの間を含めた広い範囲で、洗浄液Ｗを面状に吐出することができるため、有害物質等が付着した洗眼者の両眼と両眼の周辺部位とを同時に広く洗浄して、付着した有害物質等をより確実に除去することができる。【選択図】図８
2019177087.tif 000002
【特許請求の範囲】
【請求項１】
洗浄液を吐出して洗眼者の両眼を洗浄する洗眼器において、
前記洗浄液の水流制御室を有する本体部と、
前記水流制御室に前記洗浄液を供給する導入部と、
前記水流制御室から前記洗浄液を吐出する多数の吐出孔を有しており、前記多数の吐出孔が前記洗眼者の両眼に亘るように帯状に配置されている帯状散水部とを備えることを特徴とする洗眼器。
【請求項２】
前記本体部は、一方面が前記水流制御室に連通する前記導入部の導入口と対向位置し、他方面が前記帯状散水部に対向位置する緩衝板を有する請求項１記載の洗眼器。
【請求項３】
前記洗浄液の非吐出時では前記帯状散水部を覆い、前記洗浄液の吐出時では前記帯状散水部から吐出する前記洗浄液の付勢により前記帯状散水部から離間する自動可動カバーを備える請求項１又は請求項２記載の洗眼器。
【請求項４】
前記本体部は、前記自動可動カバーを載置する着座面部を有する
請求項３記載の洗眼器。
【請求項５】
前記本体部は、カプセル形状である
請求項１〜請求項４いずれか１項記載の洗眼器。
【発明の詳細な説明】
【技術分野】
【０００１】
本発明は、洗眼者の両眼を洗浄する洗眼器に関し、特に緊急時に用いられる緊急用洗眼器に関する。
【背景技術】
【０００２】
洗眼者の両眼を洗浄する装置としては、「洗浄液」としての水を洗眼者の右眼、左眼のそれぞれに向けて上向きに噴出させる洗眼器が知られている（一例として特許文献１参照）。このような従来の洗眼器は、水道水の蛇口に接続されており「洗浄液」としての水を供給するホースと、ホースに接続した水圧調整用のコックと、ホースに接続されており二股に分岐する分岐管と、洗眼者の両眼に対応するように分岐管の２つの先端部に設ける水噴出部とを備えている。この洗眼器によれば、蛇口に設けたハンドルの回転と連動する水栓コマで水量や水圧を調整するのに比べると、洗眼器から噴出される水の量や圧力を微調整することができるようになる。
【先行技術文献】
【特許文献】
【０００３】
【特許文献１】特開平０８−２２９０９５号公報、図１、図２
【発明の概要】
【発明が解決しようとする課題】
【０００４】
しかしながら、このような従来の洗眼器では、蛇口から供給された水道水が水噴出部から直接噴出される構造であるため、水道水の強い水流がそのまま噴出して両眼を刺激してしまうおそれがある。しかも、噴出される水道水の量や圧力の調整にはハンドルの操作が必要であるため時間を要し、速やかに、両眼の洗浄に適した水量及び水圧に調整することができない。さらに、分岐管の先端が２つに分かれているため、両眼を左右の水噴出部に合わせる必要が生じ、速やかに両眼を洗浄することができない。そのため従来の洗眼器は、例えば工場等の有害物質を使用する現場で、作業員の顔に付着した有害物質を早急に洗い落とさなければならない緊急時の洗眼には、使い難いという問題がある。
【０００５】
以上のような従来技術を背景になされたのが本発明である。本発明の目的は、洗眼器について、両眼を確実かつ速やかに洗浄するのに適した洗浄液を供給できるようにすることにある。
【課題を解決するための手段】
【０００６】
上記目的を達成すべく本発明は、以下の特徴を有するものとして構成される。
【０００７】
すなわち、本発明は、洗浄液を吐出して洗眼者の両眼を洗浄する洗眼器について、前記洗浄液の水流制御室を有する本体部と、前記水流制御室に前記洗浄液を供給する導入部と、前記水流制御室から前記洗浄液を吐出する多数の吐出孔を有しており、前記多数の吐出孔が前記洗眼者の両眼に亘るように帯状に配置されている帯状散水部とを備えることを特徴とする。
【０００８】
本発明によれば、導入部から供給される洗浄液は、本体部の内部の水流制御室を経由して吐出孔から吐出される。このため、導入部から供給された洗浄液は、そのままの勢いで吐出孔から吐出されることがなく水流制御室に留まる。したがって本発明によれば、多数の吐出孔から吐出する洗浄液の勢いをコントロールすることができる。即ち、例えば各吐出孔から吐出する洗浄液を、眼に刺激の少ない低い水圧で且つ吐出高さが一様となるように、吐出することができる。また、本発明の洗眼器は、多数の吐出孔が洗眼者の両眼に亘るように帯状に配置された帯状散水部を備える。このため、洗眼者の両眼に加えて、両眼の周囲部と両眼間の部位（例えば鼻根部及び眉間。以下、「両眼の周囲部」と「両眼間の部位」を含めて単に「両眼の周辺部位」という。）についても同時に洗浄することができる。こうした本発明の洗眼器は、両眼と両眼の周辺部位の洗浄を主目的とするが、顔全体についても洗浄することは可能である。その場合、本発明によれば帯状散水部からの広い散水によって顔全体を素早く洗顔することが可能である。
【０００９】
前述の帯状散水部は、多数の吐出孔を行列形態で配置して構成できる。具体的に帯状散水部には、行方向に洗眼者の顔の長さ方向に沿う散水幅を有し、列方向に洗眼者の顔の幅方向に沿う散水長さを有するように、多数の吐出孔を配置することができる。この場合の多数の吐出孔の行列形態は、さらに格子状配列又は千鳥状配列とすることができる。このうち特に千鳥状配列は、吐出孔を例えば行列形態の斜め方向にもより均一に配置することができ、散水をより均一にできるため好ましい。
【００１０】
前記本体部は、一方面が前記水流制御室に連通する前記導入部の導入口と対向位置し、他方面が前記帯状散水部に対向位置する緩衝板を有するように構成できる。
【００１１】
本発明によれば、導入口から水流制御室に流れ込む洗浄液を、緩衝板に当てることができる。これにより水流制御室に流れ込む洗浄液の勢いを分散して、帯状散水部に配置した各部の吐出孔から、洗浄液をできるだけ均一に吹き出すようにすることができる。したがって、均一な散水によるムラのない洗浄効果を得ることができる。
【００１２】
前記本発明は、前記洗浄液の非吐出時では前記帯状散水部を覆い、前記洗浄液の吐出時では前記帯状散水部から吐出する前記洗浄液の付勢により前記帯状散水部から離間する自動可動カバーを備えるように構成できる。
【００１３】
本発明によれば、洗浄液の吐出が行われていない待機状態では自動可動カバーが帯状散水部を覆っているので、たとえ粉塵や油煙等の異物が飛散するような環境下に洗眼器が置かれていても洗浄液の流路には、塵、埃等の異物が混入しない。したがって、実際に洗眼器を使用する段階になって吐出孔が詰まって洗浄液が出にくかったり、異物の混入した洗浄液が吐出されてしまったりすることがない。他方で、本発明によれば、吐出する洗浄液の勢いで自動可動カバーが帯状散水部から外れるので、洗浄液の吐出までの無駄な時間と洗眼者の手間とを省いて洗眼者の両眼を確実かつ速やかに洗浄することができる。
【００１４】
前記本体部は、前記自動可動カバーを収容する凹形状の着座面部を有するように構成できる。
【００１５】
本発明によれば、本体部に形成されている凹形状の着座面部に自動可動カバーが収容されるので、帯状散水部を覆う自動可動カバーを本体部の表面からできるだけ突出させないようにすることができる。したがって、例えば工場の作業者が待機状態の洗眼器と意図せず接触して、自動可動カバーが本体部から外れた状態になってしまうことを防ぐことができる。
【００１６】
前記本体部は、両端に閉塞部を有する横長筒体であるように構成できる。横長筒体としては、例えば円筒形状、多角筒形状として構成できる。さらに前記本体部は、カプセル形状であるように構成できる。
【００１７】
本発明によれば、本体部がカプセル形状であり、本体部から角部を無くすことができる。例えば本体部が角部を有する形状であると、有害物質が付着してしまい眼が開けられない洗眼者が、顔や両眼の周囲を本体部の角部にぶつけて怪我をするおそれがある。これに対して本発明では、本体部が角部のないカプセル形状であるため、不意に洗眼者の顔が当たったとしても、角部よりも受ける衝撃を緩和することができる。さらに、本発明によれば、本体部の形状であるカプセルがカプセル薬や治療を連想させる。このため、例えば工場の作業員が覚えやすく、緊急時には広い工場であっても設置場所に容易に洗浄者を誘導することが可能である。
【００１８】
前記本発明は、前記導入部を開閉する開閉弁と、前記帯状散水部から吐出した前記洗浄液を受ける液受け部とを備えるように構成できる。
【００１９】
本発明によれば、洗眼器が開閉弁を備えるので、洗浄液の吐出と停止とを切り替えることができる。さらに、本発明によれば、洗眼器が液受け部を備えるので、使用後の洗浄液が洗眼者の胴体に付着することを防ぐことができ、有害物質等の付着する範囲がより広がってしまうことを防ぐことができる。
【発明の効果】
【００２０】
本発明の洗眼器によれば、両眼と両眼の周辺部位を同時に確実且つ速やかに洗浄することができる。したがって特に緊急用洗眼器として好適に用いることができる。
【図面の簡単な説明】
【００２１】
【図１】一実施形態による洗眼器を備える緊急用シャワーの正面、右側面、平面を含む外観斜視図。
【図２】洗眼器を構成する洗眼ヘッド及び洗眼ボウルの正面、右側面、平面を含む外観斜視図。
【図３】図２の洗眼ヘッドの正面図。
【図４】図２の洗眼ヘッドの平面図。
【図５】図２の洗眼ヘッドの右側面図。
【図６】図２の洗眼ヘッドの開蓋状態を示す正面、右側面、平面を含む外観斜視図。
【図７】図２の洗眼ヘッドの開蓋状態を示す平面図。
【図８】図５のＶＩＩＩ−ＶＩＩＩ線断面図。
【図９】図３のＩＸ−ＩＸ線断面図。
【発明を実施するための形態】
【００２２】
以下、本発明の「洗眼器」の一実施形態としての洗眼器１について図面を参照しつつ説明する。以下の実施形態で例示する洗眼器１は、緊急用シャワー１００に実装したものである。しかしながら、本発明の「洗眼器」は緊急用シャワー１００と一体型のものに限定されず、洗眼器１が単独の構成であっても構わない。
【００２３】
本明細書、図面及び特許請求の範囲では、便宜上、図１等に示されるように、洗眼器１の長手方向（幅方向、左右方向）をＸ方向、短手方向（奥行き方向、前後方向）をＹ方向、高さ方向（上下方向）をＺ方向として説明する。なお、Ｘ方向は洗眼者の顔の幅方向に対応し、Ｙ方向及びＺ方向は洗眼者の顔の長さ方向に対応する。そして、緊急用シャワー１００におけるＹ方向は、洗眼器１の設置側を「前側」とし、洗眼器１を取付ける緊急用シャワー１００の支柱をなす配管側を「後側」として説明する。またＺ方向は、緊急用シャワー１００を設置する床面側を「下側」とし、緊急用シャワー１００のシャワーヘッド１０４側を「上側」として説明する。しかしながら、それらは、洗眼器１の緊急用シャワー１００への取付方向や取付方法を限定するものではない。
【００２４】
ここで先ず、洗眼器１を実装する緊急用シャワー１００の概略構成を簡単に説明する。緊急用シャワー１００は、使用対象者（被洗浄者）の頭上から洗浄液Ｗを散布し、被洗浄者に付着した有害物質等を洗い流す装置である。洗浄液Ｗには、人体に対して非侵襲で、固形物の混入や雑菌の汚染のない清浄の液体、例えば飲料水や、点眼用溶解液、緩衝生理食塩溶液が用いられる。緊急用シャワー１００は、図１で示すように、床取付けフランジ１０１と、給液口１０２と、作動装置１０３と、シャワーヘッド１０４とを有している。そして、緊急用シャワー１００を構成するこれらの部材どうしは、例えばステンレス鋼やステンレス鋳鋼による中空筒状の配管によって接続されている。そして、配管の内部は洗浄液Ｗの流路となっている。洗眼器１はその配管に装着されている。
【００２５】
給液口１０２は、水道等から洗浄液Ｗを導入する給液管と緊急用シャワー１００の配管との接続口である。給液口１０２から配管に導入された洗浄液Ｗは、Ｚ方向における上方に向かって流れてシャワーヘッド１０４と洗眼器１に供給される。
【００２６】
洗眼器１
【００２７】
洗眼器１は、使用対象者（洗眼者）の顔よりも下側から洗浄液Ｗを吐出して、洗眼者の両眼とその周辺部位に付着した有害物質等を洗い流す装置である。洗浄液Ｗには、上述の緊急用シャワー１００と共通の液体、例えば飲料水、点眼用溶解液、又は緩衝生理食塩溶液が、給液口１０２で分水されて用いられる。洗眼器１は、図１で示すように、緊急用シャワー１００の配管のＺ方向における下側の位置に設けられている。洗眼器１は、緊急用シャワー１００と共用の給液口１０２と、作動装置２と、排液口３と、「液受け部」としての洗眼ボウル４と、洗眼ヘッド５とを有している。そして、洗眼器１を構成するこれらの間は、例えばステンレス鋼やステンレス鋳鋼による中空筒状の配管によって接続されている。
【００２８】
作動装置２は、配管の内部に形成されている洗浄液Ｗの流路を開閉して、洗浄液Ｗの吐出及び停止を行う機構である。作動装置２は、「開閉弁」としての洗眼用ボールバルブ６と、バルブ開閉板７と、チェーン８と、足踏板９と、ばね止め１０と、引張コイルばね１１とを有している。
【００２９】
洗眼用ボールバルブ６は、上述の給液口１０２から伸長する配管の中途に設けられている。洗眼器１は、洗眼用ボールバルブ６を備えるので、洗浄液Ｗの吐出と停止とを全開と全閉との状態に切り替えることができる。
【００３０】
洗眼用ボールバルブ６には、弁体を回転させるバルブ開閉板７が取り付けられている。バルブ開閉板７は、平板がＬ字状に折り曲げられた形状とされている。バルブ開閉板７は、洗眼用ボールバルブ６の取り付けられている配管が伸長する方向、すなわちＹ方向に沿って伸長しており、その一端を軸として回転するように洗眼用ボールバルブ６の弁軸に取り付けられている。他方で、バルブ開閉板７の他端には、チェーン８の一端が取り付けられている。そして、バルブ開閉板７は、一端に対して他端が、全閉の際には上方に位置し、全開の際には下方に位置するように設けられている。
【００３１】
バルブ開閉板７は、上述の一端、すなわち洗眼用ボールバルブ６の弁軸の近くからＸ方向にも伸長している。さらに、バルブ開閉板７は、そこからＺ方向における上方にも伸長しており、作動装置２における洗眼用ボールバルブ６の「操作部」を構成する。この弁軸よりも上側に伸長している「操作部」に操作力が加わることで洗眼用ボールバルブ６の弁軸が回転して洗眼用ボールバルブ６の開閉が行われるように構成されている。
【００３２】
洗眼用ボールバルブ６の弁体は９０°回転するため、バルブ開閉板７は、Ｘ方向を軸にして、ＸＺ平面に沿った状態とＸＹ平面に沿った状態との間で回転することとなる。
【００３３】
すなわち、洗浄液Ｗの吐出が行われていない待機状態から、バルブ開閉板７をＹ方向における奥側に押し倒すことによって洗眼用ボールバルブ６が開き、洗浄液Ｗが吐出される。特に、洗眼器１は、洗眼者が洗眼器１に近づいた勢いそのままに押し倒すという１回の操作で済むバルブ開閉板７が設けられていることによって、確実かつ速やかに洗浄液Ｗの吐出を開始することができる。他方で、洗浄液Ｗが吐出されている使用状態から、バルブ開閉板７をＹ方向における手前側に引き戻すことによって洗眼用ボールバルブ６が閉じ、洗浄液Ｗの吐出が止まる。
【００３４】
床取付けフランジ１０１のＺ方向における上端付近には、くさび状の足踏板９が取り付けられている。足踏板９は、作動装置２における洗眼用ボールバルブ６の別の「操作部」である。すなわち、足踏板９は、足で踏む等することで洗眼用ボールバルブ６の弁軸が回転して洗眼用ボールバルブ６の開閉が行われるように構成されている。洗眼器１は、別の「操作部」としての足踏板９を有することで、いわゆるハンズフリーとして手を使わないで洗浄液Ｗの吐出の操作ができる。
【００３５】
足踏板９は、Ｙ方向における前方に伸長しており、配管を軸としてＹ方向における前側が上下方向に回転可能に取り付けられている。そして、足踏板９は、下面が宙に浮いた状態で配管に取り付けられており、下面のＹ方向における前端側が欠損するくさび状であるため、踏み込まれた際に床と干渉しない構造である。
【００３６】
足踏板９の側面には、バルブ開閉板７にその一端が繋がるチェーン８の他端が取り付けられている。チェーン８は、足踏板９が踏み込まれることによって、バルブ開閉板７の一端を軸に他端をＺ方向における下方に引っ張り、洗眼用ボールバルブ６を開くように構成されている。
【００３７】
足踏板９の配管への取付け位置よりも上方、本実施形態においては排液口３よりも上方の配管には、ばね止め１０が取り付けられている。そして、足踏板９の上面と、ばね止め１０との間には引張コイルばね１１が取り付けられている。引張コイルばね１１は、洗眼者に踏み込まれる等して下方に位置する足踏板９を元の位置に戻すように付勢している。
【００３８】
洗浄液Ｗの吐出が行われていない待機状態から、引張コイルばね１１の付勢力に抗して足踏板９が踏み込まれると、チェーン８がバルブ開閉板７を回転させ、洗眼用ボールバルブ６が開く。これによって、洗浄液Ｗが吐出される。特に、Ｚ方向における下に踏み込むだけという操作の単純な足踏板９が設けられていることによって確実かつ速やかに洗浄液Ｗの吐出を開始することができる。
【００３９】
他方で、洗浄液Ｗが吐出されている使用状態において、足踏板９から足を離すと引張コイルばね１１によって足踏板９は元の位置に戻る。このとき、チェーン８は、剛体ではないため、バルブ開閉板７をＺ方向に押し上げることなく緩んだ状態となり、バルブ開閉板７の位置は変わらない。したがって、足踏板９から足を離しても、チェーン８が緩むだけで洗眼用ボールバルブ６は開いたままになっており、洗浄液Ｗが吐出し続ける。
【００４０】
洗眼器１は、図２で示すように、帯状散水部２１から吐出した洗浄液Ｗを受ける洗眼ボウル４を備える。洗眼ボウル４は、ＸＹ方向で円形のお椀状に形成されている。洗眼器１が洗眼ボウル４を備えるので、使用後の洗浄液Ｗが洗眼者の胴体に付着することを防ぐことができ、有害物質等の付着する範囲がより広がってしまうことを防ぐことができる。
【００４１】
洗眼ボウル４は、中央下部にＺ方向の下向きに貫通する孔を有しており、この貫通孔には、洗浄液Ｗの流路となる配管が取り付けられている。この配管は、二重管構造となっており、洗浄液Ｗの排液側の流路である外管と、洗浄液Ｗの給液側の流路である内管とが一体化している。したがって、洗眼ボウル４についても配管は、洗浄液Ｗの給液側の流路と、洗浄液Ｗの排液側の流路とが独立しており、給液と排液とが混ざることがなく、安全面の配慮がなされている。そして、給液側の配管は、二重管構造よりＺ方向における上側まで伸長し、Ｙ方向における奥側に屈曲するエルボを介してＹ方向における奥側に伸長している。
【００４２】
洗眼ヘッド５は、図３〜図９で示すように、導入部１２と、本体部１３とを有している。導入部１２は、本体部１３とねじによって締結されている。導入部１２は、洗眼ヘッド５に洗浄液Ｗを導入する部位である。導入部１２は、洗眼ヘッド５において、本体部１３のＺ方向における下方に位置している。導入部１２は、図９で示すように、連結部１４と、導入口１５とを有するとともに、ウィープバルブ１６と、ストレーナ１７と、定流量弁１８とを内蔵している。
【００４３】
連結部１４は、Ｙ方向における前方に向かって開口しており、開口を形成する周壁には、配管との連結用にねじが切られている。そして、連結部１４には、洗眼ボウル４の下部からＹ方向における奥側に向かって伸長する洗浄液Ｗの給液側の配管が連結されている。なお、連結部１４はＹ方向における後方に向かって開口するように配置することも可能となっている。
【００４４】
導入口１５は、本体部１３に洗浄液Ｗを供給する部位である。導入口１５は、Ｚ方向における上方に向かって円形状に開口しており、本体部１３の内部空間と連通している。
【００４５】
ウィープバルブ１６は、洗眼器１の使用後に残った洗浄液Ｗを本体部１３から排出することで、残った洗浄液Ｗが凍結したり、腐るのを防止する。通常は開放状態となっており、洗眼器１が用いられるときにだけ自動的に閉じるように構成されている。
【００４６】
ストレーナ１７は、本体部１３に導入される洗浄液Ｗに異物が混入しないようにろ過する篩である。導入部１２は、袋ナット構造になっており本体部１３から容易に外すことができるため、ストレーナ１７も容易に交換することができる。ストレーナ１７（連結部１４）の向きは、袋ナットを構造に取り入れることによって逆向きにすることも可能である。メンテナンスを行う箇所を袋ナット構造とし、一般的な配管用テーパねじにしなかったことで熟練作業や配管工具を要せず、一般的な工具でメンテナンスを行うことができる。そして、メンテナンスの際に洗浄液Ｗや詰まった異物が排出されても、それらは、洗眼ボウル４内に収まるため、周囲を汚染することがない。
【００４７】
定流量弁１８は、洗眼ヘッド５から吐出される洗浄液Ｗの流量を一定とする機構部品である。導入部１２への洗浄液Ｗの供給源の一例である水道は、蛇口の開度や周囲の使用状況等によって水圧に変動が生じる。定流量弁１８は、このような水圧の変動によらずに本体部１３に向けて洗浄液Ｗを一定の流量で供給するように構成されている。洗眼器１は、定流量弁１８を有することで、バルブ開閉板７や足踏板９が操作されて洗眼用ボールバルブ６が瞬時に全開の状態とされても洗眼ヘッド５から適切な液量が吐出されるように構成されている。
【００４８】
洗眼ヘッド５からの流量は、目安として、洗眼ヘッド５から吐出される洗浄液Ｗが洗眼ボウル４からはみ出さないような流量に調整されている。具体的には、洗眼ヘッド５から吐出される洗浄液Ｗの高さが約２０  ｃｍ以下であるというＡＮＳＩ規格で要求される性能を達成するように調整されている。さらに、ＡＮＳＩ規格で洗眼／顔に必要な１１．４  ｌ／ｍｉｎ以上の流量が求められており、それを達成できるように調整されている。洗浄液Ｗが洗眼ボウル４からはみ出さない流量であることによって、使用後の洗浄液Ｗが洗眼者の胴体に付着することを防ぐことができ、有害物質等の付着する範囲がより広がってしまう二次汚染を防ぐことができる。
【００４９】
本体部１３は、洗眼ヘッド５から吐出する洗浄液Ｗの勢いを制御する部位である。本体部１３は、ステンレス等の鋳造物等で形成されている。本体部１３は、Ｘ方向に伸長する円筒状に形成され、Ｘ方向における両端には、ステンレス等の鋳造物等で形成されている半球状の蓋でなる閉塞部１９，１９がそれぞれ設けられている（図８等参照）。これによって、本体部１３は、カプセル形状とされている。本体部１３がカプセル形状であるため、洗眼者の手等が意図せず引っかかってポップオフカバー２４が開いてしまったり、使用時にぶつかって痛い思いをしてしまったりするような鋭角的な部位（「角部」）を本体部１３から無くすことができる。さらに、このような形状によれば、本体部１３の形状であるカプセルがカプセル薬や治療を連想させるため、この形状が洗眼者を洗眼に誘導するための手がかりを示すことにもなり得る。
【００５０】
本体部１３は、図８及び図９で示すように、水流制御室２０と、帯状散水部２１と、緩衝板２２とを有している。本体部１３は、中身が円筒状の空洞となっており、この空洞が洗浄液Ｗの水流制御室２０となっている。水流制御室２０は、洗眼ヘッド５から吐出される前段階の洗浄液Ｗを一時的に貯留する空間である。水流制御室２０は、Ｘ方向における中央かつＺ方向における下端において導入部１２の導入口１５と連通している。他方で、本体部１３は、Ｚ方向にからＹ方向前方に傾斜する上側がＸ方向に沿って伸長する角丸矩形状に開口しており、水流制御室２０は、本体部１３の外部と連通している。
【００５１】
このように、導入部１２から供給される洗浄液Ｗは、本体部１３の内部の水流制御室２０に一時的に貯留される。このため、導入部１２から供給された洗浄液Ｗは、配管を流れるそのままの勢いで吐出されずに水流制御室２０に留まる。したがって、洗眼器１は、水流制御室２０を有することによって、帯状散水部２１を介して吐出する洗浄液Ｗの勢いをコントロールすることができる。例えば、洗浄液Ｗを、眼に刺激の少ない低い水圧でかつ吐出高さが一様となるように、吐出することができる。
【００５２】
上述の本体部１３における上側の開口には、当該開口を覆うように長円平板状の帯状散水部２１が載置されている。帯状散水部２１には、Ｘ方向における両端にそれぞれＺ方向に貫通する孔が形成されている。この貫通孔に対応する孔が本体部１３にも形成されており、帯状散水部２１は、例えばボルト３１ａによって本体部１３に着脱可能として固定されている。
【００５３】
帯状散水部２１には、Ｚ方向に対してＹ方向前方に傾斜する方向に貫通する多数の吐出孔２３が形成されている。吐出孔２３は、水流制御室２０から本体部１３の外部に向けて吐出される洗浄液Ｗの流路である。本実施形態において吐出孔２３は、直径が１．２ｍｍ程度に形成されている。これに対し、帯状散水部２１は、Ｚ方向に少なくとも１ｍｍ以上、好ましくは２〜３ｍｍ程度の厚さを有している。吐出孔２３の深さが１ｍｍより短い、即ち帯状散水部２１を形成する板材の厚みが１ｍｍより薄いと、各吐出孔２３の内周面を通過する洗浄液Ｗの滑走距離が短く、洗浄液Ｗが多方向に拡散して吐出される傾向が強くなる。吐出孔２３の深さを１ｍｍ以上とすることによって、帯状散水部２１から吐出する洗浄液Ｗの直進性を高めることができる。
【００５４】
帯状散水部２１には、多数の吐出孔２３が洗眼者の両眼から顔の幅に亘るように帯状に配置される。このため、多数の吐出孔２３は、帯状散水部２１の一帯にＸ方向に沿って列状に並んでいる。なお、帯状散水部２１のＸ方向に沿う長さ（水流のＸ方向に沿う長さ）は、一例として成人男性の両目じり間における幅よりも大きい１１５ｍｍとして形成することができる。
【００５５】
これが、従来技術のように水噴出部が左右の２つに分かれている洗眼装置であると、左右それぞれの水噴出部から吐出されて放物線を描く液流がそれぞれ別の頂点を形成することとなる。そして、それぞれの液流の頂点がＸ方向において離れている場合には、それぞれの頂点の中間（Ｘ方向における中心付近）に液流の存在しない空白の部分ができてしまう。他方で、それぞれの液流の頂点が重なって１つになっている場合には、頂点が狭い領域に集中し、全体としての液流のＸ方向（左右方向）における長さが短くなってしまう。よって、いずれにしても、右眼、左眼のそれぞれに対応して水噴出部がある従来の洗眼装置では、液流の頂点に対する左右の眼の位置合わせにおいて、Ｘ方向におけるずれの許容範囲が小さくなってしまう。
【００５６】
これに対して洗眼器１は、多数の吐出孔２３が洗眼者の両眼に亘るように帯状に配置した帯状散水部２１を備えるため、洗眼者の両眼に加えて、両眼の周辺部位を含む広い範囲に洗浄液Ｗを吐出することができる。そのような帯状散水部２１から吐出される洗浄液Ｗの様子は、Ｙ方向の前側から見ると横長壁状であり、Ｘ方向の側面から見ると吐出孔２３の列ごとに洗浄液Ｗの放物線の頂点が僅かにずれている連山状であり、Ｚ方向の上側から見るとＸＹ平面で雲海状の形状を呈する。
【００５７】
こうした洗浄液Ｗの吐出上端がＸＹ平面方向への広がりを有する面状散水によれば、有害物質等が付着した洗眼者の両眼とその周辺部位とを同時に広く洗浄して、付着した有害物質等をより確実に除去することができる。そして、洗眼ヘッド５に対して左右の眼が特にＸ方向に多少ずれたとしても、吐出される洗浄液Ｗが何ら問題なく両眼にともに当たるので、洗浄液Ｗに左右の眼を合わせやすく両眼及びその周辺部位を確実かつ速やかに洗浄することができる。
【００５８】
さらに、Ｘ方向における左右両側の水噴出部から中央に向かって斜めに洗浄液Ｗを吐出する従来の洗眼装置では、液圧が低くなると、両眼の間隔よりも外側に液流の頂点が形成されることとなり、両眼を同時に洗浄することができなくなってしまう。
【００５９】
これに対し、洗眼器１は、液圧が低くなっても、帯状散水部２１から吐出する洗浄液Ｗの高さが低くなるのみで、Ｘ方向において、洗浄液Ｗの吐出される範囲には変化が生じない。したがって、洗眼器１は、液圧の影響によらず、洗浄液Ｗに左右の眼を合わせやすく両眼及びその周辺部分を確実かつ速やかに洗浄することができる。
【００６０】
洗眼器１は、帯状散水部２１に配置される列状の吐出孔２３を複数列とすることもできる。例えば、帯状散水部２１は、多数の吐出孔２３を行列形態で配置して構成できる。具体的には、行方向に洗眼者の顔の長さ方向に沿う散水幅を有し、列方向に洗眼者の顔の幅方向に沿う散水長さを有するように、多数の吐出孔２３を配置することができる。吐出孔２３は、図６及び図７で示すように、３列とすることができる。この場合の多数の吐出孔２３の行列形態は、さらに格子状配列又は千鳥状配列とすることができる。このうち特に図６及び図７で示すような千鳥状配列は、吐出孔２３をより均一に配置することができ、散水をより均一にできるため好ましい。
【００６１】
より具体的に、千鳥状配列では、格子状配列と比べて列方向に沿って半分の距離ごとに吐出孔２３が存在することとなる。したがって、千鳥状配列では、列方向に沿って吐出孔２３が存在しない間隔を格子状配列から半減することができ、散水をより満遍ない配置とすることができる。さらに、千鳥状配列では、格子状配列と比べて行列形態の斜め方向において隣り合う吐出孔２３の距離が短くなる。したがって、千鳥状配列では、隣り合う吐出孔２３の距離を行方向、列方向及び斜め方向で平準化し、隣り合う吐出孔２３の方向（角度）によるばらつきを格子状配列よりも低減させることができる。
【００６２】
水流制御室２０には、帯状散水部２１のＺ方向における下方に矩形平板状の緩衝板２２が配置されている。緩衝板２２は、導入口１５から供給される洗浄液Ｗの流れの勢いを吸収するとともに、洗眼ヘッド５の内周壁との間に適切な隙間距離を形成して吐出される洗浄液Ｗの高さをそろえる機能を有している。
【００６３】
緩衝板２２は、図７で示すように、Ｘ方向よりもＹ方向により長く伸長している。そして、緩衝板２２は、図８及び図９で示すように、Ｚ方向における下方の「一方面」としての下側面２５と、Ｚ方向における上方の「他方面」としての上側面２６とを有している。緩衝板２２は、下側面２５が水流制御室２０に連通する導入部１２の導入口１５と対向位置し、上側面２６が帯状散水部２１に対向位置している。緩衝板２２には、Ｘ方向における両端にそれぞれＺ方向に貫通するねじ孔が形成されている。そして、それぞれのねじ孔には、例えば下側の領域に雄ねじが切られ、上側の領域に雌ねじが切られた支柱３１ｂが取り付けられている。それぞれの支柱３１ｂの雌ねじが切られている箇所に上述の帯状散水部２１及び本体部１３を挿通する雄ねじの切られたボルト３１ａが取り付けられることによって緩衝板２２が帯状散水部２１につり下げられる形態で固定されている。したがって、支柱３１ｂとボルト３１ａは、緩衝板２２と帯状散水部２１の双方の固定に共用される共用固定部材３１として構成されている。そして緩衝板２２と帯状散水部２１とを別々の固定部材で固定する場合と比較して部品点数を低減できる。なお、本実施形態と異なり緩衝板２２と帯状散水部２１とを別々の固定部材で固定するように構成してもよい。
【００６４】
このように、導入口１５から帯状散水部２１に向かって形成されている洗浄液Ｗの流路の中途に緩衝板２２が配置されることによって、導入口１５から水流制御室２０に流れ込む洗浄液Ｗを緩衝板２２に当てることができる。これにより水流制御室２０に流れ込む洗浄液Ｗの勢いを低減して、帯状散水部２１を形成する各吐出孔２３から、洗浄液Ｗをできるだけ均一に吹き出すようにすることができる。したがって、均一な散水によるムラのない洗浄効果を得ることができる。
【００６５】
緩衝板２２は、導入口１５の流路断面及び帯状散水部２１の対向面よりも上側面２６及び下側面２５を大きく構成することができる（図７等参照）。これによって、導入口１５から帯状散水部２１に液流が最短距離で直接到達することを確実に防ぐように緩衝板２２を配置することができる。そして、緩衝板２２がこのような形状及び配置とされることで、洗浄液Ｗは、図８及び図９の二点鎖線の矢印で示すように流れ、導入口１５から水流制御室２０及び水流制御室２０から帯状散水部２１に流れ込む洗浄液Ｗの勢いをより確実に低減させることができる。
【００６６】
帯状散水部２１及び緩衝板２２は、図９で示すように、鉛直線に対してＹ方向における前方に例えば１２°〜１３°の傾きを有している。これによって、帯状散水部２１から吐出される洗浄液ＷがＹ方向に放物線を描くため、液流の頂点を点状から顔の長さ方向に線状とすることができる。したがって、洗眼ヘッド５に対して左右の眼が特にＹ方向に多少ずれたとしても、吐出される洗浄液Ｗが何ら問題なく両眼のそれぞれの範囲に当たるので、洗浄液Ｗに左右の眼を合わせやすく両眼及びその周辺部分を確実かつ速やかに洗浄することができる。
【００６７】
洗眼器１は、「自動可動カバー」としてのポップオフカバー２４を備えている。ポップオフカバー２４は、洗眼ヘッド５の外部から粉塵等の異物が混入することを防ぐ機能を有している。ポップオフカバー２４は、図３、図５及び図８等で示すように、軸部２７に取付けられており、支持部２８と、蓋部２９とを有している。ポップオフカバー２４は、本体部１３とは色違いとされていても良い。これによって、洗眼者が洗眼器１の可動部分を認識しやすくすることができる。
【００６８】
軸部２７は、棒状に形成されており、導入部１２のＺ方向における上端付近においてＸ方向における両側にそれぞれ突出するように本体部１３に設けられている。支持部２８は、湾曲した長板状に形成されている。支持部２８は、一端が軸部２７に回転可能に取り付けられており、他端が蓋部２９に取り付けられている。支持部２８は、本体部１３のＹ方向における前側の外周に沿って伸長している。蓋部２９は、天地が逆となった樋状に形成されており、Ｙ方向よりもＸ方向により長く伸長する長円状で、Ｚ方向における上方に向かって湾曲している。この湾曲の径は、本体部１３の外周の径と略等しく形成されている。そして、蓋部２９は、帯状散水部２１をＺ方向における上方から覆うようにして本体部１３の外周に沿ってその上部に載置されている。
【００６９】
本体部１３は、図３、図４、図６及び図７等で示すように、ポップオフカバー２４を収容する着座面部３０を有する。着座面部３０は、本体部１３の外周から少なくともポップオフカバー２４の厚さの分だけ内周側に１段くぼむ凹形状として構成されている。本体部１３に形成されている着座面部３０にポップオフカバー２４が載置されるので、ポップオフカバー２４が帯状散水部２１を覆っている着状態では、本体部１３とポップオフカバー２４とを一体化させることができる。そして、帯状散水部２１を覆うポップオフカバー２４を本体部１３の表面からできるだけ突出させないようにすることができる。したがって、洗眼者の手等が待機状態の洗眼器１と意図せず接触して、ポップオフカバー２４が本体部１３から外れた脱状態となってしまうことを防ぐことができる。
【００７０】
なお、着座面部３０からＹ方向における前側を回り込むように本体部１３の外周から内周側に１段くぼむ条溝が形成されており、ここに、支持部２８が嵌合する。このように、ポップオフカバー２４は、支持部２８も含めて本体部１３と一体化している。
【００７１】
ポップオフカバー２４は、ヒンジ構造となっている。そして、帯状散水部２１から吐出される洗浄液Ｗが蓋部２９に当たると、ポップオフカバー２４は、Ｙ方向における前方に向かう分力を受けて軸部２７を中心に回転して蓋部２９が本体部１３から外れるように構成されている。このように、ポップオフカバー２４は、洗浄液Ｗの非吐出時では帯状散水部２１を覆い、洗浄液Ｗの吐出時では帯状散水部２１から吐出する洗浄液Ｗの付勢により帯状散水部２１から離間するように構成されている。
【００７２】
洗眼器１は、洗浄液Ｗの吐出が行われていない待機状態ではポップオフカバー２４が帯状散水部２１を覆っているので、たとえ粉塵や油煙等の異物が飛散するような環境下に洗眼器１が置かれていても洗浄液Ｗの流路には、異物が混入しない。したがって、実際に洗眼器１を使用する段階になって吐出孔２３が詰まって洗浄液Ｗが出にくかったり、異物の混入した洗浄液Ｗが吐出されてしまったりすることがない。他方で、洗眼器１は、吐出する洗浄液Ｗの勢いでポップオフカバー２４が帯状散水部２１から外れるので、洗浄液Ｗの吐出までの無駄な時間と洗眼者の手間とを省いて洗眼者の両眼を確実かつ速やかに洗浄することができる。
【００７３】
なお、洗眼器１は、洗浄液Ｗの給液側の配管に気体が混入していると、洗眼用ボールバルブ６が開いた直後に必要以上に勢い良く洗浄液Ｗが吐出されてしまうことがある。しかしながら、ポップオフカバー２４が帯状散水部２１を覆っているので、最初に吐出される洗浄液Ｗの勢いを帯状散水部２１からのポップオフカバー２４の離間に用いることで相殺することができる。
【００７４】
ポップオフカバー２４は、洗眼ヘッド５に取り付けられているため、紛失の心配がない。しかしながら、ポップオフカバー２４は、洗眼ヘッド５に取り付けられている必要はなく、軸部２７及び支持部２８が省略されていても構わない。
【００７５】
変形例
【００７６】
前記実施形態では、帯状散水部２１の天面側が面一とする例を示したが、吐出孔２３の周囲がノズル状に盛り上がるように帯状散水部２１を構成することもできる。これによって、洗浄液Ｗの直進性をより高めることができる。
【００７７】
前記実施形態では、吐出孔２３が帯状散水部２１の吸入側と吐出側とで同径とする例を示したが、吸入側よりも吐出側が小径となるように吐出孔２３を形成することもできる。これによって、洗浄液Ｗを流れの中心に集め、直進性を高めることができる。
【００７８】
前記実施形態では、本体部１３がステンレス等の鋳造物等で円筒状に形成されており、その両端にステンレス等の鋳造物等でなる半球状の蓋である閉塞部１９，１９を設ける例を示した。しかしながら、本体部１３と少なくとも一方の閉塞部１９，１９とを一体に有する合成樹脂の成形体として構成してもよい。
【００７９】
前記実施形態では、本体部１３と帯状散水部２１とを別部材として構成する例を示したが、本体部１３に帯状散水部を一体に形成した構成としてもよい。
【００８０】
前記実施形態では、緩衝板２２と洗眼ヘッド５の内周壁との間に隙間を形成する例を示したが、そうした隙間を形成せず緩衝板に孔を形成することでも同じ機能を実現することができる。
【符号の説明】
【００８１】
１      洗眼器
２      作動装置
３      排液口
４      洗眼ボウル
５      洗眼ヘッド
６      洗眼用ボールバルブ
７      バルブ開閉板
８      チェーン
９      足踏板
１０      ばね止め
１１      引張コイルばね
１２      導入部
１３      本体部
１４      連結部
１５      導入口
１６      ウィープバルブ
１７      ストレーナ
１８      定流量弁
１９      閉塞部
２０      水流制御室
２１      帯状散水部
２２      緩衝板
２３      吐出孔
２４      ポップオフカバー
２５      下側面
２６      上側面
２７      軸部
２８      支持部
２９      蓋部
３０      着座面部
３１      共用固定部材
３１ａ    ボルト
３１ｂ    支柱
１００      緊急用シャワー
１０１      床取付けフランジ
１０２      給液口
１０３      作動装置
１０４      シャワーヘッド
Ｗ      洗浄液
【図１】
2019177087.tif 000003
【図２】
2019177087.tif 000004
【図３】
2019177087.tif 000005
【図４】
2019177087.tif 000006
【図５】
2019177087.tif 000007
【図６】
2019177087.tif 000008
【図７】
2019177087.tif 000009
【図８】
2019177087.tif 000010
【図９】
2019177087.tif 000011
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
洗浄液を吐出して洗眼者の両眼を洗浄する洗眼器において、
前記洗浄液の水流制御室を有する本体部と、
前記水流制御室に前記洗浄液を供給する導入部と、
前記水流制御室から前記洗浄液を吐出する多数の吐出孔を有しており、前記多数の吐出孔が前記洗眼者の両眼が配置される方向を長手方向として前記両眼に亘るように、前記吐出孔が複数列で帯状に配置されている帯状散水部とを備え、
前記本体部は、一方面が前記導入部と対向位置し、他方面が前記帯状散水部に対向位置する緩衝板を有し、
前記帯状散水部及び前記緩衝板は、前記長手方向に対する交差方向で、鉛直線に対して前記洗眼者に向けた傾きを有して配置されており、
前記帯状散水部から吐出される前記洗浄液は、前記交差方向に放物線を描き、前記吐出孔の前記列ごとに前記洗浄液の前記放物線の頂点が前記洗眼者に向けてずれている連山状に吐出されることを特徴とする洗眼器。
【請求項２】
前記帯状散水部は、前記長手方向に亘る平板状に形成されており、
前記緩衝板は、前記帯状散水部における前記吐出孔の形成部位よりも大きく形成されている
請求項１記載の洗眼器。
【請求項３】
前記緩衝板は、前記帯状散水部に対して前記長手方向に亘って同じ一定の距離を空けて対向位置する
請求項１又は請求項２記載の洗眼器。
【請求項４】
前記緩衝板は、前記帯状散水部につり下げられて固定され、前記水流制御室との間の全周に亘って前記洗浄液の流路が形成されている
請求項１〜請求項３いずれか１項記載の洗眼器。
【請求項５】
前記本体部は、両端に閉塞部を有し、前記長手方向における中間に前記導入部が繋がる横長筒体であるカプセル形状である
請求項１〜請求項４いずれか１項記載の洗眼器。
【請求項６】
前記閉塞部の内周壁と前記緩衝板との間に前記洗浄液の流路を有する
請求項５記載の洗眼器。
【手続補正２】
【補正対象書類名】明細書
【補正対象項目名】００５０
【補正方法】変更
【補正の内容】
【００５０】
本体部１３は、図８及び図９で示すように、水流制御室２０と、帯状散水部２１と、緩衝板２２とを有している。本体部１３は、中身が円筒状の空洞となっており、この空洞が洗浄液Ｗの水流制御室２０となっている。水流制御室２０は、洗眼ヘッド５から吐出される前段階の洗浄液Ｗを一時的に貯留する空間である。水流制御室２０は、Ｘ方向における中央かつＺ方向における下端において導入部１２の導入口１５と連通している。他方で、本体部１３は、Ｚ方向からＹ方向前方に傾斜する上側がＸ方向に沿って伸長する角丸矩形状に開口しており、水流制御室２０は、本体部１３の外部と連通している。
【手続補正３】
【補正対象書類名】明細書
【補正対象項目名】００６３
【補正方法】変更
【補正の内容】
【００６３】
緩衝板２２は、図７で示すように、Ｙ方向よりもＸ方向により長く伸長している。そして、緩衝板２２は、図８及び図９で示すように、Ｚ方向における下方の「一方面」としての下側面２５と、Ｚ方向における上方の「他方面」としての上側面２６とを有している。緩衝板２２は、下側面２５が水流制御室２０に連通する導入部１２の導入口１５と対向位置し、上側面２６が帯状散水部２１に対向位置している。緩衝板２２には、Ｘ方向における両端にそれぞれＺ方向に貫通するねじ孔が形成されている。そして、それぞれのねじ孔には、例えば下側の領域に雄ねじが切られ、上側の領域に雌ねじが切られた支柱３１ｂが取り付けられている。それぞれの支柱３１ｂの雌ねじが切られている箇所に上述の帯状散水部２１及び本体部１３を挿通する雄ねじの切られたボルト３１ａが取り付けられることによって緩衝板２２が帯状散水部２１につり下げられる形態で固定されている。したがって、支柱３１ｂとボルト３１ａは、緩衝板２２と帯状散水部２１の双方の固定に共用される共用固定部材３１として構成されている。そして緩衝板２２と帯状散水部２１とを別々の固定部材で固定する場合と比較して部品点数を低減できる。なお、本実施形態と異なり緩衝板２２と帯状散水部２１とを別々の固定部材で固定するように構成してもよい。